(57)【特許請求の範囲】
【請求項１】
記録媒体への記録回数に制限が課せられたデジタルコンテンツデータを取得し、取得した当該デジタルコンテンツデータを、他の記録方式に変換して記録媒体に記録するデータ記録装置において、
前記デジタルコンテンツデータが前記記録回数の前記制限を満たしているか否かを、記録管理情報に基づいて判断する記録条件判断手段と、
前記記録回数の前記制限が満たされていると判断された場合に、前記デジタルコンテンツデータを、前記他の記録方式に変換して前記記録媒体に記録する記録手段と、
前記デジタルコンテンツデータが前記記録媒体に正確に記録されたか否かを確認する記録確認手段と、
前記記録が正確に行われたことが前記確認された場合に、前記記録管理情報を、前記記録手段の記録動作を禁止する旨を示す情報に更新する記録管理情報更新手段と
を有し、
前記記録確認手段は、前記デジタルコンテンツデータの前記記録媒体への記録動作が終了したことを条件に、前記デジタルコンテンツデータが前記記録媒体に正確に記録されたか否かを判断する記録確認動作を開始し、当該記録確認動作中は、前記記録手段から前記記録媒体の抜き出しを禁止する
データ記録装置。
【請求項２】
前記記録確認手段は、前記記録媒体に記録された前記デジタルコンテンツデータを読み出し、当該読み出したデジタルコンテンツデータのエラーレートが所定の条件を満たすか否かに基づいて、前記確認を行う
請求項１に記載のデータ記録装置。
【請求項３】
前記デジタルコンテンツデータが前記記録媒体に正確に記録されたか否かを前記記録確認手段が確認中は、当該確認の処理を停止させる要因となるアクセスを禁止する
請求項１に記載のデータ記録装置。
【請求項４】
記録媒体への記録回数に制限が課せられたデジタルコンテンツデータを取得し、取得した当該デジタルコンテンツデータを、他の記録方式に変換して記録媒体に記録するデータ記録方法において、
前記デジタルコンテンツデータが前記記録回数の前記制限を満たしているか否かを、記録管理情報に基づいて判断し、
前記記録回数の前記制限が満たされていると判断された場合に、前記デジタルコンテンツデータを前記他の記録方式に変換して前記記録媒体に記録し、
前記デジタルコンテンツデータの前記記録媒体への記録動作が終了したことを条件に、前記デジタルコンテンツデータが前記記録媒体に正確に記録されたか否かを判断する記録確認動作を開始し、当該記録確認動作中は、前記記録手段から前記記録媒体の抜き出しを禁止し、
前記記録が正確に行われたことが前記確認された場合に、前記記録管理情報を、前記記録手段の記録動作を禁止する旨を示す情報に更新する
データ記録方法。
【発明の詳細な説明】
【０００１】
【発明の属する技術分野】
本発明は、デジタルコンテンツデータの記録媒体への記録を制限するデータ記録装置およびその方法に関する。
【０００２】
【従来の技術】
例えば、デジタルＡＶ(Audio Visual)コンテンツデータなどを録音および録画するデジタルＡＶシステムは、オリジナルと比べて品質を劣化させることなく、他の大量の記録媒体にデジタルＡＶコンテンツデータをコピーできる。
例えば、図７（Ａ）に示すように、ＣＤ(Compact Disc)プレーヤを用いてＣＤから再生したデジタルオーディオデータをＭＤ(Mini Disc) レコーダを用いてＭＤに記録でき、図７（Ｂ）に示すように、ＣＤプレーヤを用いてＣＤから再生したデジタルオーディオデータをＣＤ−Ｒ(Recordable)レコーダを用いてＣＤ−Ｒに記録できる。
そのため、違法なコピーが行われると、著作権者の利益を著しく害してしまう。
このような問題を解決するために、従来から提案されているデジタルＡＶシステムでは、例えば、以下に示すようにデジタルＡＶコンテンツデータを記録媒体にコピーできる回数を制限する機能を備えている。
【０００３】
以下、ＣＤからＭＤにデジタルオーディオデータをコピーする従来のデジタルオーディオ装置を説明する。
図８は、ＣＤからＭＤにデジタルオーディオデータをコピー可能な従来のデジタルオーディオ装置１の構成図である。
図８に示すように、デジタルオーディオ装置１は、ＣＤプレーヤ２とＭＤレコーダ３とを有する。
デジタルオーディオ装置１では、ＣＤプレーヤ２において、再生信号処理系４によってＣＤ５から再生された再生信号が、データ分離回路６でデジタルオーディオデータＳ６ａとＩＳＲＣ(International Standard Recording Code) データＳ６ｂとに分離され、これらがデジタルＩ／Ｆ回路７からケーブル１６を介してＭＤレコーダ３に出力される。
ここで、ＩＳＲＣデータは、例えば、ＣＤに記録されているトラック番号や演奏時間などを示すヘッダデータ内に挿入されており、個々のＣＤにユニークに割り当てられた１２桁の文字および数字の組み合わせからなるデータである。
【０００４】
ＭＤレコーダ３では、ＣＤプレーヤ２から入力したデジタルオーディオデータＳ６ａがデジタルＩ／Ｆ回路１０からＡＴＲＡＣ(Adaptive TRansform Audio Coder)エンコーダ１１に出力され、ＣＤプレーヤ２から入力したＩＳＲＣデータＳ６ｂがデジタルＩ／Ｆ回路１０からＣＰＵ１２に出力される。
【０００５】
そして、デジタルオーディオデータＳ６ａはＡＴＲＡＣエンコーダ１１においてＡＴＲＡＣ方式で圧縮され、当該圧縮されたデジタルオーディオデータＳ１１が記録信号処理系１３に出力される。
そして、記録信号処理系１３において、ＣＰＵ１２から記録停止信号Ｓ１２を入力するまで、ＡＴＲＡＣエンコーダ１１から入力したデジタルオーディオデータＳ１１がＭＤ１５に記録される。
【０００６】
ＣＰＵ１２では、デジタルＩ／Ｆ１０から入力したＩＳＲＣデータＳ６ｂと一致するＩＳＲＣデータが不揮発性メモリ１４に既に記録されている否かが判断され、記録されていると判断された場合、すなわちＣＤ５から再生されたデジタルオーディオデータがＭＤレコーダ３を用いてＭＤに記録された経歴あると判断された場合には、記録停止信号Ｓ１２が記録信号処理系１３に出力される。
一方、ＣＰＵ１２では、ＩＳＲＣデータＳ６ｂと一致するＩＳＲＣデータが不揮発性メモリ１４に既に記録されていないと判断された場合には、ＩＳＲＣデータＳ６ｂが不揮発性メモリ１４に書き込まれ、記録停止信号Ｓ１２は出力されない。
【０００７】
このように、図８に示すデジタルオーディオ装置１では、ユーザが、過去にＭＤレコーダ３を用いてＭＤに記録を行ったことがあるＣＤ５を、ＭＤレコーダ３を用いて再びＭＤに記録しようとしたときに、ＣＰＵ１２から記録信号処理系１３に記録停止信号Ｓ１２が出力され、ＭＤへの記録処理が強制的に停止する。これにより、同一のＭＤレコーダ３を用いて、同一のＣＤ５が複数のＭＤにコピーされることを防止でき、著作権者の利益が簡単に著しく害されることを回避できる。
【０００８】
また、例えば、ネットワークを介してデジタルＡＶデータを配信するサーバ・クライアントシステムなどでは、デジタルコンテンツデータを暗号化して配信することで、配信しようとするユーザ以外の者によるデジタルコンテンツデータの不正な利用を回避すると共に、デジタルコンテンツデータを配信したユーザに対して課金を行う場合がある。
【０００９】
以下、ネットワークを介してデジタルオーディオデータを配信するサーバ・クラインアントシステムについて説明する。
図９は、ネットワークを介してデジタルオーディオデータを配信する従来のサーバ・クラインアントシステム３１の構成図である。
サーバ・クラインアントシステム３１では、先ず、サーバ装置２１において、例えば、コンテンツ記録用メモリ２３から読み出されたデジタルオーディオデータＳ２３が、例えば、ＭＰＥＧなどの圧縮方式を用いて帯域圧縮器２４で帯域圧縮される。そして、当該帯域圧縮されたデジタルオーディオデータＳ２４が、暗号化器２５において、ネットワーク６２を介して鍵データ要求信号Ｓ２５に応じて鍵管理センタのホストコンピュータ２６から受信した暗号化用鍵データＳ２６ａを用いて暗号化され、当該暗号化されたデジタルオーディオデータＳ２１がネットワーク６２を介してクライアント装置２２に送信される。
【００１０】
そして、クライアント装置２２では、ネットワーク６２を介してサーバ装置２１から受信したデジタルオーディオデータＳ２１が、ハードディスクドライブ６３にダウンロード(download)された後に、解読回路２８に読み込まれる。
そして、ネットワーク６２を介して鍵データ要求信号Ｓ２８ａに応じて解読用鍵データＳ２６ｂが鍵管理センタのホストコンピュータ２６から解読回路２８に出力され、当該解読用鍵データＳ２６ｂを用いて、ハードディスクドライブ６３から読み込まれたデジタルオーディオデータＳ２１が解読される。
このとき、解読回路２８が解読用鍵データＳ２６ｂを受信した後、例えば無条件で、課金データＳ２８ｃが解読回路２８から鍵管理センタのホストコンピュータ２６に送信され、ホストコンピュータ２６から決済機関のホストコンピュータ３０の当該課金データが送信されて課金が行われる。
また、解読回路２８で解読されたデジタルオーディオデータＳ２８ｂは、ＡＴＲＡＣエンコーダ６５で圧縮された後に、デジタルオーディオデータＳ６５として記録信号処理系６６に出力され、ＭＤ１５に記録される。
【００１１】
このように、図９に示すサーバ・クラインアントシステム３１では、鍵管理センタのホストコンピュータ２６から解読用鍵データＳ２６ｂを受信したユーザ、すなわちダウンロードしたデジタルオーディオデータを解読して利用するユーザに対して課金を行うことができる。
【００１２】
【発明が解決しようとする課題】
しかしながら、上述した図８に示すデジタルオーディオ装置１では、例えばＣＤやＭＤ上に付着したゴミ、レンズのよごれあるいは記録信号処理系の故障などで、ＣＤから再生されたデジタルオーディオデータが正常（正確）にＭＤに記録されなかった場合でも、ＩＳＲＣデータがＭＤレコーダ３の不揮発性メモリ１４に書き込まれてしまい、以後、同じＣＤ２から再生したデジタルオーディオデータをＭＤレコーダ３を用いてＭＤに記録できないという問題がある。
【００１３】
また、上述した図９に示すサーバ・クラインアントシステム３１でも、同様の理由から、サーバ装置２１から受信したデジタルオーディオデータがクライアント装置２２において正確にＭＤ１５に記録されなかった場合でも、クライアント装置７２が解読用鍵データＳ２６ｂを受信した時点で課金データＳ６４ｃが鍵管理センタのホストコンピュータ２６に送信されてしまい、当該利用者に不当な課金が行われてしまうという問題がある。
【００１４】
本発明は上述した従来技術の問題点に鑑みてなされ、著作権などの理由からデジタルコンテンツデータを記録媒体に記録する回数などの制限がある場合に、デジタルコンテンツデータが正常に記録媒体に記録されなかったにも係わらず、前記制限上、記録が行われたものとして扱われてしまうことを回避できるデータ記録装置およびその方法を提供することを目的とする。
【００１５】
上述した従来技術の問題点を解決し、上述した目的を達成するために、第１の発明のデータ記録装置は、記録媒体への記録回数に制限が課せられたデジタルコンテンツデータを取得し、取得した当該デジタルコンテンツデータを、他の記録方式に変換して記録媒体に記録するデータ記録装置において、前記デジタルコンテンツデータが前記記録回数の前記制限を満たしているか否かを、記録管理情報に基づいて判断する記録条件判断手段と、前記記録回数の前記制限が満たされていると判断された場合に、前記デジタルコンテンツデータを、前記他の記録方式に変換して前記記録媒体に記録する記録手段と、前記デジタルコンテンツデータが前記記録媒体に正確に記録されたか否かを確認する記録確認手段と、前記記録が正確に行われたことが前記確認された場合に、前記記録管理情報を、前記記録手段の記録動作を禁止する旨を示す情報に更新する記録管理情報更新手段とを有し、前記記録確認手段は、前記デジタルコンテンツデータの前記記録媒体への記録動作が終了したことを条件に、前記デジタルコンテンツデータが前記記録媒体に正確に記録されたか否かを判断する記録確認動作を開始し、当該記録確認動作中は、前記記録手段から前記記録媒体の抜き出しを禁止する。
【００１６】
第２の発明のデータ記録方法は、記録媒体への記録回数に制限が課せられたデジタルコンテンツデータを取得し、取得した当該デジタルコンテンツデータを、他の記録方式に変換して記録媒体に記録するデータ記録方法において、前記デジタルコンテンツデータが前記記録回数の前記制限を満たしているか否かを、記録管理情報に基づいて判断し、前記記録回数の前記制限が満たされていると判断された場合に、前記デジタルコンテンツデータを前記他の記録方式に変換して前記記録媒体に記録し、前記デジタルコンテンツデータの前記記録媒体への記録動作が終了したことを条件に、前記デジタルコンテンツデータが前記記録媒体に正確に記録されたか否かを判断する記録確認動作を開始し、当該記録確認動作中は、前記記録手段から前記記録媒体の抜き出しを禁止し、前記記録が正確に行われたことが前記確認された場合に、前記記録管理情報を、前記記録手段の記録動作を禁止する旨を示す情報に更新する。
【００２８】
【発明の実施の形態】
以下、本発明の実施形態について説明する。
第１実施形態
図１は、本実施形態のオーディオシステム４１の構成図である。
図１に示すように、オーディオシステム４１は、例えば、ケーブル１６を介して接続されたＣＤプレーヤ２とＭＤレコーダ４３とで構成される。
なお、図１において、図８と同じ構成要素には、同じ符号が付されている。
すなわち、デジタルオーディオ装置４１において、ＣＤプレーヤ２は前述した図８に示すデジタルオーディオ装置１のＣＤプレーヤ２と同じである。
【００２９】
〔ＣＤプレーヤ２〕
ＣＤプレーヤ２は、例えば、再生信号処理系４、データ分離回路６およびデジタルＩ／Ｆ回路７を有する。
再生信号処理系４は、ＣＤ５を回転駆動して、光ピックアップで読み取った再生信号Ｓ４をデータ分離回路６に出力する。
データ分離回路６は、再生信号Ｓ４を、デジタルオーディオデータＳ６ａとＩＳＲＣデータＳ６ｂとに分離してデジタルＩ／Ｆ回路７に出力する。
デジタルＩ／Ｆ回路７は、データ分離回路６から入力したデジタルオーディオデータＳ６ａとＩＳＲＣデータＳ６ｂとを、ケーブル１６を介してＭＤレコーダ４３に出力する。
ここで、ＩＳＲＣデータは、本発明の識別データに相当し、前述したように、ＣＤに記録されているトラック番号や演奏時間などを示すヘッダデータ内に挿入されており、個々のＣＤにユニークに割り当てられた１２桁の文字および数字の組み合わせからなるデータである。
【００３０】
〔記録確認系４３〕
ＭＤレコーダ４３は、例えば、デジタルＩ／Ｆ回路１０、ＡＴＲＡＣエンコーダ１１、記録信号処理系１３、不揮発性メモリ１４、ＣＰＵ４２および記録確認系４４を有する。
ここで、デジタルＩ／Ｆ回路１０、ＡＴＲＡＣエンコーダ１１、記録信号処理系１３および不揮発性メモリ１４は、図８を用いて前述したデジタルオーディオ装置１の同じ符号を付した構成要素と同じである。
なお、本実施形態では、ＣＰＵ４２の機能の一部および不揮発性メモリ１４が本発明の記録条件判断手段に対応し、記録信号処理系１３が本発明の記録手段に対応し、記録確認系４４が本発明の記録確認手段に対応し、ＣＰＵ４２の機能の一部が本発明の記録回数更新手段および指標更新手段に対応している。
【００３１】
デジタルＩ／Ｆ回路１０は、ケーブル１６を介してＣＤプレーヤ２から入力したデジタルオーディオデータＳ６ａをＡＴＲＡＣエンコーダ１１に出力し、ＩＳＲＣデータＳ６ｂをＣＰＵ４２に出力する。
【００３２】
ＡＴＲＡＣエンコーダ１１は、デジタルＩ／Ｆ回路１０から入力したデジタルオーディオデータＳ６ａをＡＴＲＡＣ方式で圧縮し、当該圧縮したデジタルオーディオデータＳ１１を記録信号処理系１３に出力する。
ここで、ＡＴＲＡＣは、ＭＤのための符号化圧縮方式であり、例えば、２８８ｋｂｉｔ／ｓで４４．１ｋＨｚサンプルのステレオ信号を、帯域分割とＭＤＣＴ(Modified Discrete Cosine Tranform) とを併用して符号化する。すなわち、先ず、帯域分割フィルタで１／４，１／４，１／２の３つの帯域に分割し、それぞれの帯域の信号をダウンサンプルし、時間領域の信号としてＭＤＣＴで周波数領域に変換する。そして、当該ＭＤＣＴの係数を適応ビット配分を行ってスカラ量子化する。
【００３３】
記録信号処理系１３は、ＡＴＲＡＣエンコーダ１１から入力したデジタルオーディオデータＳ１１をＭＤ１５に記録する。
また、記録信号処理系１３は、ＣＰＵ４２から記録停止信号Ｓ４２を入力すると、デジタルオーディオデータＳ１１をＭＤ１５に記録する動作を停止する。
また、記録信号処理系１３は、デジタルオーディオデータＳ１１のＭＤ１５への記録が終了すると、記録終了信号Ｓ１３を記録確認系４４に出力する。
【００３４】
不揮発性メモリ１４は、後述するように、所定の条件に基づいて、デジタルＩ／Ｆ回路１０から入力したＩＳＲＣデータを記憶する。なお、不揮発性メモリ１４の記憶内容は、ユーザによっては簡単には書き換えられないようにプロテクトされている。
【００３５】
記録確認系４４は、記録信号処理系１３から記録終了信号Ｓ１３を入力すると、ＭＤ１５に記録されたデジタルオーディオデータを再生してエラーレート（誤り率）が所定の基準値以下であるかを確認する。なお、エラーレートは、例えば、デジタルコンテンツデータに含まれる誤り検出データなどを用いて行う。
そして、記録確認系４４は、エラーレートが所定の基準値以下であると判断した場合には、記録が正常に行われたことを示す記録確認信号Ｓ４４をＣＰＵ４２に出力し、エラーレートが所定の基準値を越えていると判断した場合には、記録に異常が生じたことを示す記録確認信号Ｓ４４をＣＰＵ４２に出力する。
上述した記録確認系４４によるエラーレートの確認は、ＣＤ５からＭＤ１５に書き込まれたデジタルオーディオデータの全てについて行ってもよいし、部分的に行ってもよい。
【００３６】
また、記録確認系４４によるエラーレートの確認中にＭＤ１５が抜かれてしまうと、実際には正確に記録されたにも係わらず、記録確認系４４が記録に異常が発生したと判断してしまうので、例えば、記録確認系４４による確認動作中はＭＤ１５をユーザが抜き出すことができないようにする。
【００３７】
また、上述した例では、図２（Ａ）に示すように、ＣＤ５からＭＤ１５へのデジタルオーディオデータの記録を終了した後に、記録確認系４４による記録確認動作を行う場合を例示したが、例えば、図２（Ｂ）に示すように、ＣＤ５からＭＤ１５への記録されるデジタルオーディオデータを複数のブロックに分割し、一のブロックの記録動作が終了した後に、当該一のブロックについて記録確認系６７による記録確認動作を行うようにしてもよい。
【００３８】
ＣＰＵ４２は、図３に示すフローチャートに示す処理を行う。
すなわち、ＣＰＵ４２は、デジタルＩ／Ｆ回路１０からＩＳＲＣデータＳ６ｂを入力すると（ステップＳ１）、当該入力したＩＳＲＣデータＳ６ｂと一致するＩＳＲＣデータが不揮発性メモリ１４に記憶されているか否かを判断し（ステップＳ２）、記憶されていると判断した場合には記録停止信号Ｓ４２を記録信号処理系１３に出力する（ステップＳ３）。
【００３９】
一方、ＣＰＵ４２は、当該入力したＩＳＲＣデータＳ６ｂと一致するＩＳＲＣデータが不揮発性メモリ１４に記憶されていないと判断した場合には、その後、記録確認系４４から入力した記録確認信号Ｓ４４に基づいて、ＣＤプレーヤ２で再生されたデジタルオーディオデータがＭＤ１５に正確に記録されたか否かを判断する（ステップＳ４）。そして、ＣＰＵ４２は、ＣＤプレーヤ２で再生されたデジタルオーディオデータがＭＤ１５に正確に記録されたと判断した場合には、ステップＳ１でデジタルＩ／Ｆ回路１０から入力したＩＳＲＣデータＳ６ｂを不揮発性メモリ１４に書き込む（ステップＳ５）。また、ＣＤプレーヤ２で再生されたデジタルオーディオデータがＭＤ１５に正確に記録されなかったと判断した場合には、ステップＳ１でデジタルＩ／Ｆ回路１０から入力したＩＳＲＣデータＳ６ｂを不揮発性メモリ１４に書き込まない。
【００４０】
以下、図１に示すオーディオシステム４１の全体動作について説明する。
〔第１の動作〕
以下、過去に、ＭＤレコーダ４３を用いてＣＤ５からＭＤにデジタルオーディオデータをコピーしたことがあるときに、ＭＤレコーダ４３を用いて再びＣＤ５からＭＤ１５にデジタルオーディオデータをコピーすることを試みた場合のオーディオシステム４１の動作について説明する。
この場合には、ＭＤレコーダ４３の不揮発性メモリ１４には、ＣＤ５のＩＳＲＣデータが既に記憶されている。
【００４１】
先ず、ＣＤプレーヤ２において、再生信号処理系４によってＣＤ５が再生され、再生信号Ｓ４がデータ分離回路６に出力される。
再生信号Ｓ４は、データ分離回路６において、デジタルオーディオデータＳ６ａとＩＳＲＣデータＳ６ｂとに分離され、これらがデジタルＩ／Ｆ回路７からケーブル１６を介してＭＤレコーダ４３に出力される。
【００４２】
ＭＤレコーダ４３では、デジタルＩ／Ｆ回路１０を介して、デジタルオーディオデータＳ６ａがＡＴＲＡＣエンコーダ１１に出力されると共に、ＩＳＲＣデータＳ６ｂがＣＰＵ４２に出力される。
デジタルオーディオデータＳ６ａは、ＡＴＲＡＣエンコーダ１１において、ＡＴＲＡＣ方式で圧縮され、当該圧縮されたデジタルオーディオデータＳ１１が記録信号処理系１３に出力される。そして、記録信号処理系１３によって、ＭＤ１５へのデジタルオーディオデータＳ１１の記録が開始される。
また、ＣＰＵ４２において、ＩＳＲＣデータＳ６ｂと一致するＩＳＲＣデータが不揮発性メモリ１４に記憶されていると判断され、記録停止信号Ｓ４２が記録信号処理系１３に出力される。これにより、記録信号処理系１３によるデジタルオーディオデータＳ１１のＭＤ１５への記録動作が停止する。
【００４３】
以上説明したように、オーディオシステム４１によれば、同じＣＤ５からＭＤへのデジタルオーディオデータのコピーは、同じＭＤレコーダ４３を用いては２回以上行うことができない。
そのため、ユーザによって、ＣＤ５に記録されたオリジナルのデジタルオーディオデータと音質的に殆どそん色のないデジタルオーディオデータが多数のＭＤに容易にコピーされ、著作権者の利益が著しく害されることを防止できる。
【００４４】
〔第２の動作〕
以下、過去に、ＭＤレコーダ４３を用いてＣＤ５からＭＤにデジタルオーディオデータをコピーしたことがないときに、ＭＤレコーダ４３を用いてＣＤ５からＭＤにデジタルオーディオデータをコピーする場合のオーディオシステム４１の動作について説明する。
この場合には、ＭＤレコーダ４３の不揮発性メモリ１４には、ＣＤ５のＩＳＲＣデータは記憶されていない。
【００４５】
先ず、ＣＤプレーヤ２において、再生信号処理系４によってＣＤ５が再生され、再生信号Ｓ４がデータ分離回路６に出力される。
再生信号Ｓ４は、データ分離回路６において、デジタルオーディオデータＳ６ａとＩＳＲＣデータＳ６ｂとに分離され、これらがデジタルＩ／Ｆ回路７からケーブル１６を介してＭＤレコーダ４３に出力される。
【００４６】
ＭＤレコーダ４３では、デジタルＩ／Ｆ回路１０を介して、デジタルオーディオデータＳ６ａがＡＴＲＡＣエンコーダ１１に出力されると共に、ＩＳＲＣデータＳ６ｂがＣＰＵ４２に出力される。
デジタルオーディオデータＳ６ａは、ＡＴＲＡＣエンコーダ１１において、ＡＴＲＡＣ方式で圧縮され、当該圧縮されたデジタルオーディオデータＳ１１が記録信号処理系１３に出力される。そして、記録信号処理系１３によって、デジタルオーディオデータＳ１１のＭＤ１５への記録が開始される。
また、ＣＰＵ４２において、ＩＳＲＣデータＳ６ｂと一致するＩＳＲＣデータが不揮発性メモリ１４に記憶されていないと判断され、記録停止信号Ｓ４２は出力されない。
【００４７】
そして、記録信号処理系１３によるＭＤ１５へのデジタルオーディオデータＳ１１の記録が終了すると、記録終了信号Ｓ１３が記録確認系４４に出力され、記録確認系４４によるＭＤ１５の記録確認が行われる。なお、記録確認系４４による当該記録確認動作中は、ユーザは、ＭＤ１５を抜き出すことができない。
そして、記録確認系４４からＣＰＵ４２に、ＣＤ５からＭＤ１５への記録が正常に行われたことを示す記録確認信号Ｓ４４が出力されると、ＣＰＵ４２によって、デジタルＩ／Ｆ回路１０から入力したＩＳＲＣデータＳ６ｂが不揮発性メモリ１４に書き込まれる。
これにより、以後、ＭＤレコーダ４３を用いたＣＤ５からＭＤ１５へのコピーが禁止される。
【００４８】
以上説明したように、オーディオシステム４１によれば、ＭＤレコーダ４３において、記録確認系４４によってＣＤ５からＭＤ１５にデジタルオーディオデータが正常に記録されたことを確認した後に、ＣＤ５のＩＳＲＣデータＳ６ｂを不揮発性メモリ１４に書き込むことから、例えばＣＤ５やＭＤ１５上に付着したゴミ、レンズのよごれあるいは記録信号処理系１３の故障などで、ＣＤ５からのデジタルオーディオデータが正確にＭＤ１５に記録されなかった場合には、ＣＤ５のＩＳＲＣデータＳ６ｂは不揮発性メモリ１４に書き込まれず、当該記録動作を再び行うことができる。
【００４９】
また、オーディオシステム４１によれば、前述したように、ＭＤレコーダ４３の記録確認系４４による記録確認動作中は、ユーザはＭＤ１５を抜き出すことができないため、ＣＤ５からＭＤ１５への記録が正常に行われた場合には、ＣＤ５のＩＳＲＣデータを不揮発性メモリ１４に確実に書き込むことができ、ユーザの不正行為を効果的に抑制できる。
【００５０】
なお、本発明は、例えば、図４に示すような、高速コピーが可能なオーディオシステム５１にも適用できる。
図４において、図１と同じ符号を付した構成要素は前述したものと同じである。
すなわち、オーディオシステム５１は、ＡＴＲＡＣエンコーダ５２を、ＭＤレコーダ５３内ではなくＣＤプレーヤ５２内に設け、デジタルオーディオデータをＡＴＲＡＣ方式で圧縮した後に、ＣＤプレーヤ５２からＭＤレコーダ５３に出力する。
また、ＣＤプレーヤ５２の各構成要素は、ＣＤプレーヤ２の各構成要素のｎ倍の動作周波数で動作する。
また、高速記録信号処理系５４は、図１に示す記録信号処理系１３のｎ倍の動作周波数で動作し、デジタルオーディオデータＳ５２をＭＤ１５に高速に記録する。
【００５１】
上述した高速コピーが可能なオーディオシステム５１においても、記録確認系４４を設けることで、前述したオーディオシステム４１と同様の効果を得ることができる。
このような高速コピーが可能なオーディオシステム５１では、コピーを無制限に認めると、膨大な数の不正なコピーによるＭＤが作製される恐れがあり、記録確認系４４を設けることによる効果は特に大きい。
【００５２】
第２実施形態
図５は、本実施形態のサーバ・クラインアントシステム６１の構成図である。
図５に示すように、オーディオシステム６１は、例えば、ネットワーク６２を介してサーバ装置２１、クライアント装置７２、鍵管理センタのホストコンピュータ２６および決済機関のホストコンピュータ３０が接続されている。
ここで、サーバ装置２１が本発明のデータ送信装置に対応し、クライアント装置２２が本発明のデータ受信装置に対応している。
【００５３】
〔サーバ装置２１〕
サーバ装置２１は、例えば、コンテンツ記憶用メモリ２３、帯域圧縮回路２４および暗号化回路２５を有する。
コンテンツ記憶用メモリ２３は、配信しようとするデジタルオーディオデータを記憶し、当該記憶しているデジタルオーディオデータＳ２３を読み出して帯域圧縮回路２４に出力する。
【００５４】
帯域圧縮回路２４は、コンテンツ記憶用メモリ２３から入力したデジタルオーディオデータＳ２３に対して例えばＭＰＥＧなどの帯域圧縮処理を行い、当該帯域圧縮処理したデジタルオーディオデータＳ２４を暗号化回路２５に出力する。
【００５５】
暗号化回路２５は、例えば、ネットワーク６２を介して、鍵管理センタのホストコンピュータ２６に、暗号化用の鍵データを要求する鍵データ要求信号Ｓ２５を出力し、当該鍵データ要求信号Ｓ２５に応じて鍵管理センタのホストコンピュータ２６から暗号化用鍵データＳ２６ａを入力する。
暗号化回路２５は、暗号化用鍵データＳ２６ａを用いて、デジタルオーディオデータＳ２４を暗号化し、当該暗号化によって得たデジタルオーディオデータＳ２１をネットワーク６２を介してクライアント装置７２に出力する。
【００５６】
〔クライアント装置７２〕
クライアント装置７２は、例えば、ハードディスクドライブ(Hard Disc Drive) ６３、解読回路６４、ＡＴＲＡＣエンコーダ６５、記録信号処理系６６および記録確認系６７を有する。
ここで、記録信号処理系６６が本発明の記録手段に対応し、記録確認系６７が本発明の記録確認手段に対応し、解読回路６４が本発明の処理手段に対応している。
【００５７】
ハードディスクドライブ６３は、例えば、サーバ装置２１からネットワーク６２に送出されたデジタルオーディオデータＳ２１をダウンロードして記憶する。
【００５８】
解読回路６４は、図６に示すフローチャートに基づいて処理を行う。
すなわち、解読回路６４は、ネットワーク６２からハードディスクドライブ６３にダウンロードされたデジタルオーディオデータが暗号化されていると判断すると（ステップＳ１１）、当該暗号化されているデジタルオーディオデータを解読するための鍵データを要求する鍵データ要求信号Ｓ６４ａをネットワーク６２を介して鍵管理センタのホストコンピュータ２６に出力する（ステップＳ１２）。
【００５９】
そして、解読回路６４は、鍵管理センタのホストコンピュータ２６から解読用鍵データＳ２６ｂを入力すると（ステップＳ１３）、当該解読用鍵データＳ２６ｂを用いて、ハードディスクドライブ６３から読み出したデジタルオーディオデータＳ２１を解読し、解読したデジタルオーディオデータＳ６４ｂをＡＴＲＡＣエンコーダ６５に出力する（ステップＳ１４）。
【００６０】
そして、解読回路６４は、サーバ装置２１から入力したデジタルオーディオデータがＭＤ１５に正常に書き込まれたか否かを、記録確認系６７から入力した記録確認信号Ｓ６７に基づいて判断し（ステップＳ１５）、正常に書き込まれたと判断した場合に、課金データＳ６４ｃをネットワーク６２を介して鍵管理センタのホストコンピュータ２６に出力する（ステップＳ１６）。一方、解読回路６４は、サーバ装置２１から入力したデジタルオーディオデータがＭＤ１５に正常に書き込まれなかったと判断した場合には、課金データＳ６４ｃをネットワーク６２を介して鍵管理センタのホストコンピュータ２６に出力しない。
【００６１】
ＡＴＲＡＣエンコーダ６５は、解読回路６４から入力したデジタルオーディオデータＳ６４ｂを、例えばＭＰＥＧなどの帯域伸長処理を行った後に、ＡＴＲＡＣ方式で圧縮し、当該圧縮したデジタルオーディオデータＳ６５を記録信号処理系６６に出力する。
記録信号処理系６６は、ＡＴＲＡＣエンコーダ６５から入力したデジタルオーディオデータＳ６５をＭＤ１５に記録する。
また、記録信号処理系６６は、デジタルオーディオデータＳ６５のＭＤ１５への記録が終了すると、記録終了信号Ｓ６６を記録確認系６７に出力する。
【００６２】
記録確認系６７は、記録信号処理系６６から記録終了信号Ｓ６６を入力すると、ＭＤ１５に記録されたデジタルオーディオデータを再生してエラーレートが所定の基準値以下であるか否かを確認する。そして、記録確認系６７は、エラーレートが所定の基準値以下であると判断した場合には、記録が正常に行われたことを示す記録確認信号Ｓ６７を解読回路６４に出力し、エラーレートが所定の基準値を越えていると判断した場合には、記録に異常が生じたことを示す記録確認信号Ｓ６７を解読回路６４に出力する。
上述した記録確認系６７によるエラーレートの確認は、ＭＤ１５に書き込まれたデジタルオーディオデータの全てについて行ってもよいし、部分的に行ってもよい。
また、記録確認系６７によるエラーレートの確認中にＭＤ１５が抜かれてしまうと、実際には正確に記録されたにも係わらず、記録確認系６７が記録に異常が発生したと判断してしまうので、例えば、記録確認系６７による確認動作中はＭＤ１５をユーザが抜き出すことができないように制御する。
なお、記録確認系６７によるエラーレートの確認は、第１実施形態の場合と同様に、図２（Ｂ）に示すように、分割して行ってもよい。
【００６３】
以下、図５に示すオーディオシステム６１の動作について説明する。
先ず、サーバ装置２１において、コンテンツ記憶用メモリ２３から読み出されたデジタルオーディオデータＳ２３が、帯域圧縮回路２４において帯域圧縮された後に、デジタルオーディオデータＳ２４として暗号化回路２５に出力される。
そして、暗号化回路２５において、鍵管理センタのホストコンピュータ２６から入力した暗号化用鍵データＳ２６ａを用いて、デジタルオーディオデータＳ２４が暗号化され、当該暗号化によって得られたデジタルオーディオデータＳ２１が、ネットワーク６２を介して、クライアント装置７２に送信される。
【００６４】
そして、クライアント装置７２では、デジタルオーディオデータＳ２１が、ハードディスクドライブ６３にダウンロードされる共に、ネットワーク６２を介して解読回路６４から鍵管理センタのホストコンピュータ２６に鍵データ要求信号Ｓ６４ａが出力され、鍵管理センタのホストコンピュータ２６から解読回路６４に解読用鍵データＳ２６ｂが出力される。
そして、解読回路６４において、解読用鍵データＳ２６ｂを用いて、ハードディスクドライブ６３から読み出したデジタルオーディオデータＳ２１が解読されてデジタルオーディオデータＳ６４ｂが生成される。
デジタルオーディオデータＳ６４ｂは、ＡＴＲＡＣエンコーダ６５においてＡＴＲＡＣ方式で圧縮されてデジタルオーディオデータＳ６５となり、記録信号処理系６６によってＭＤ１５に記録される。
【００６５】
ＭＤ１５へのデジタルオーディオデータＳ６５の記録が終了すると、記録終了信号Ｓ６６が記録信号処理系６６から記録確認系６７に出力され、記録確認系６７によってＭＤ１５への記録が正常に行われたか否かが確認され、その確認結果を示す記録確認信号Ｓ６７が解読回路６４に出力される。
そして、解読回路６４において、記録確認信号Ｓ６７が正常に記録が行われたことを示していると判断されると、課金データＳ６４ｃが鍵管理センタのホストコンピュータ２６に出力され、当該課金データＳ６４ｃに基づいて決済機関のホストコンピュータ３０で決済が行われる。
一方、解読回路６４において、記録確認信号Ｓ６７が記録に異常が発生したことを示していると判断されると、課金データＳ６４ｃは鍵管理センタのホストコンピュータ２６には出力されず、決済機関のホストコンピュータ３０では決済は行わない。
【００６６】
以上説明したように、オーディオシステム６１によれば、ネットワーク６２からダウンロードしたデジタルオーディオデータが解読用鍵データＳ２６ｂを用いて解読されてＭＤ１５に正常に記録されたか否かを確認し、ＭＤ１５に正常に記録された場合にのみ、課金データＳ６４ｃが鍵管理センタのホストコンピュータ２６に出力されて課金が行われる。
そのため、何らかの理由で、ダウンロードしたデジタルオーディオデータをＭＤ１５に記録する際に異常が発生した場合には、当該ユーザは課金されずにすむ。
【００６７】
本発明は上述した実施形態には限定されない。
例えば、上述した第１実施形態では、図１に示すように、ＣＤ５からＭＤ１５にデジタルオーディオデータのコピーを行う場合を例示したが、コピー元は、デジタルデータの読み出しが可能なものであれば、ＣＤの他に、例えばＣＤ−ＲＯＭ、ＤＶＤ(Digital Versatile Disc)、ＤＡＴ(Digital Audio Tape)などであってもよい。
また、コピー先は、デジタルデータの記録が可能なものであれば、ＭＤの他に、ＤＶＤやＤＡＴなどであってもよい。このことは、前述した第２実施形態においても同様である。
【００６８】
また、上述した実施形態では、デジタルオーディオデータをコピーする場合を例示したが、本発明は、デジタルビデオデータおよびコンピュータデータをコピーする場合にも同様に適用できる。
【００６９】
また、上述した第１実施形態では、ＣＤ５から他の記録媒体へのコピーが１回に制限されている場合を例示したが、コピー回数の制限は２回以上であってもよい。この場合には、例えば、ＣＰＵ４２は、ＩＳＲＣデータと共に、当該ＩＳＲＣデータを持つＣＤからのコピーが行われた回数を不揮発性メモリ１４に記憶する。
また、上述した実施形態では、記録媒体の識別データとして、ＩＳＲＣデータを例示したが、記録媒体を一意に特定できるものであれば、識別データとしてその他のデータを用いてもよい。
【００７０】
また、上述した第１実施形態では、前述したように、記録確認系４４において正確に記録されたことを確認した後に、ＩＳＲＣデータＳ６ｂを不揮発性メモリ１４に書き込む場合を例示したが、前記確認を行う前にＣＤ５から読み出したＩＳＲＣデータＳ６ｂを無条件に不揮発性メモリ１４に書き込み、記録確認系４４において前記記録が正確に行われなかったことを確認したときに、当該書き込んだＩＳＲＣデータＳ６ｂを消去するようにしてもよい。
【００７１】
また、上述した第２実施形態では、インターネットなどのネットワークを介してサーバ装置からクライアント装置にデジタルオーディオデータを伝送する場合を例示したが、その他、送信装置から受信装置に無線方式でデジタルコンテンツデータを伝送する場合にも本発明は適用できる。この場合には、例えば、無線方式でデジタルコンテンツデータを伝送し、インターネットを介して鍵データや課金データを伝送することも可能である。
【００７２】
また、上述した第２実施形態では、デジタルオーディオデータの供給を受けたことによって課せられる手続きとして課金を例示したが、それ以外に、供給を受けたユーザを登録する手続きなどであってもよい。
【００７３】
【発明の効果】
以上説明したように、本発明のデータ記録装置およびその方法によれば、デジタルコンテンツデータが記録媒体に正常に記録されたことを確認した後に、デジタルコンテンツデータの記録回数が更新される。そのため、デジタルコンテンツデータが記録媒体に正常に記録されていないにも係わらず、記録回数が更新されてしまい、記録媒体へのデジタルコンテンツデータの記録が不当に制限されてしまうことを回避できる。
【００７４】
また、本発明のデータ記録装置によれば、デジタルコンテンツデータが記録媒体に正常に記録されたことを確認した後に、デジタルコンテンツデータの記録が許可されているかを判断する指標が更新される。そのため、デジタルコンテンツデータが記録媒体に正常に記録されていないにも係わらず、当該指標が更新されてしまい、記録媒体へのデジタルコンテンツデータの記録が不当に制限されてしまうことを回避できる。
【００７５】
また、本発明のデータ記録装置およびその方法によれば、供給されたデジタルコンテンツデータを正確に記録媒体に記録できたことを確認した後に、当該デジタルコンテンツデータの供給を受けたことによって課せられる手続に関する処理が行われる。そのため、デジタルコンテンツデータが記録媒体に正常に記録されていないにも係わらず、当該デジタルコンテンツデータの供給を受けたものとして、それによって課せられる手続に関する処理が行われてしまうことを回避できる。
【図面の簡単な説明】
【図１】図１は、本発明の第１実施形態のオーディオシステムの構成図である。
【図２】図２は、図１に示す記録確認系における処理を説明するための図である。
【図３】図３は、図１に示すＣＰＵの処理を説明するためのフローチャートである。
【図４】図４は、本発明の第１実施形態のオーディオシステムの変形例の構成図である。
【図５】図５は、本発明の第２実施形態のオーディオシステムの構成図である。
【図６】図６は、図５に示す解読回路の処理を説明するためのフローチャートである。
【図７】図７は、一の記録媒体に記録されているデジタルコンテンツデータを他の記録媒体に記録する形態の一例を説明するための図である。
【図８】図８は、従来の第１の例のオーディオシステムの構成図である。
【図９】図９は、従来の第２の例のオーディオシステムの構成図である。
【符号の説明】
１，５１…デジタルオーディオ装置、２…ＣＤプレーヤ、３，４３…ＭＤレコーダ、４…再生信号処理系、５…ＣＤ、６…データ分離回路、７，１０…デジタルＩ／Ｆ回路、１１…ＡＴＲＡＣエンコーダ、１２，４２…ＣＰＵ、１３…記録信号処理系、１４…不揮発性メモリ、１５…ＭＤ、２３…コンテンツ記憶用メモリ、２４…帯域圧縮回路、２５…暗号化回路、２６…鍵管理センタのホストコンピュータ、２８，６４…解読器、３０…決済機関のホストコンピュータ、３１，６１…サーバ・クラインアントシステム、４４，６７…記録確認系、６２…ネットワーク、６５…ＡＴＲＡＣエンコーダ、６６…記録信号処理系
【図１】
0004615073.tif 000002
【図２】
0004615073.tif 000003
【図３】
0004615073.tif 000004
【図４】
0004615073.tif 000005
【図５】
0004615073.tif 000006
【図６】
0004615073.tif 000007
【図７】
0004615073.tif 000008
【図８】
0004615073.tif 000009
【図９】
0004615073.tif 000010